(57)【要約】      （修正有）【課題】ラッチストップ軸が家族以外の人によって回転操作されるのを防止することができる自動施錠錠を提供する。【解決手段】錠ケース１０内に組込まれたロック解除レバー４０を、その先端がラッチボルト２０の背面に対向するロック位置と背面から退避するロック解除位置との間で揺動自在に支持する。錠ケース１０に揺動自在に支持された屋内側レバーハンドルの解除方向への揺動により、または、錠ケース１０に支持されたシリンダ錠の開錠操作により、ロック解除レバー４０をロック解除位置に向けて揺動させ、その揺動後にラッチボルト２０をボルト挿入孔１８内に没入させる開錠機構を設ける。シリンダ錠によって作動する開錠機構中に、ラッチストップ軸１００の回動操作によりラッチボルト２０を没入位置で保持する保持機構を組み込んで、シリンダ錠の操作キーを持つ家族以外の人によってラッチストップ軸１００が不正に回転操作されるのを防止する。【選択図】図４
2010265717.tif 000002
【特許請求の範囲】
【請求項１】
フロントプレートを前側に有し、そのフロントプレートに、軸挿入孔、ボルト挿入孔およびトリガー挿入孔が上下に間隔をおいて形成された角形の錠ケースと、
前記ボルト挿入孔に対して出没自在に設けられ、ラッチばねにより突出方向に向けて付勢されたラッチボルトと、
前記ラッチボルトの背面に先端が対向するロック位置と前記背面から先端が退避するロック解除位置との間で揺動自在とされ、ばねによりロック位置に向けて付勢されたロック解除レバーと、
前記トリガー挿入孔にスライド自在に挿入され、ばねにより外方に向けて付勢され、外方への移動によりロック解除レバーをロック解除方向に揺動させてロック解除位置に保持するトリガーボルトと、
前記錠ケースの屋外側の側板に取付けられたシリンダ錠の開錠操作により回動されるシリンダカムと、
そのシリンダカムの開錠方向への回転により後退動し、スライドピースばねによりフロントプレートに向けて付勢されたスライドピースと、
前記ケースの屋内側の側板により支持された開閉操作用の揺動可能な屋内側レバーハンドルと、
その屋内側レバーハンドルの開錠方向への揺動により、または、前記スライドピースの後退動による押圧により後退動して、前記ロック解除レバーをロック解除位置に向けて揺動させ、その揺動後にラッチボルトを没入する方向に押圧移動させるロック解除ピースと、
前記軸挿入孔内に挿入されて回転自在に支持されたラッチストップ軸と、
そのラッチストップ軸に回り止めされたラッチストップカムと、
からなり、
前記スライドピースのフロントプレート側の先端に上向きの係合片を設け、前記ラッチストップカムには、スライドピースの前進停止位置において前記係合片と左右で対向してラッチストップ軸を回り止めし、スライドピースの後退停止位置で係合片と位置ずれしてラッチストップ軸の回り止めを解除する回り止めレバー片を設け、その回り止めレバー片の端部に前記係合片と位置ずれする状態でのラッチストップカムの回転により、その係合片と前後で対向してスライドピースを後退位置で停止保持するストッパ片を設けた自動施錠錠。
【発明の詳細な説明】
【技術分野】
【０００１】
この発明は、ドアを閉鎖することにより、そのドアを自動的に施錠する自動施錠錠に関する。
【背景技術】
【０００２】
この種の自動施錠錠として、特許文献１に記載されたものが従来から知られている。この自動施錠錠においては、ドアの閉鎖により、ラッチばねの弾力によりラッチヘッドを前進動させてドア枠に固定されたストライカのストライク孔に進入させ、かつ、上記ストライカの表面に対する接触によりトリガーボルトを錠ケース内に後退動させて、衝止レバーに対する押下げを解除し、その押下げの解除によりばねの弾力よって上記衝止レバーをロック位置に向けて揺動させ、上記ラッチヘッドの背面に対する衝止レバーの先端の係合によって、ラッチヘッドを施錠位置に保持するようにしている。
【０００３】
また、シリンダ錠に操作キーを挿入し、その操作キーの開錠操作により、シリンダカム（ダルマ）を回転し、そのシリンダカムの開錠方向への回転によりスライダを後退動させ、その後退動により開錠レバーを揺動させて衝止レバーをロック解除位置まで揺動させ、その揺動後におけるスライダの後退動によりラッチヘッドを錠ケース内に引き込み、ラッチヘッドと一体に後退動するラッチボードの後端の係合片をラッチストッパの係合端に係合させ、その係合によりラッチヘッドを後退動させた開錠位置に一時的に保持して、ドアを開放し得る状態としている。
【０００４】
上記のような自動施錠錠においては、ドアを閉めると、自動的にロック状態となるため、引越しや室内工事の際のように、ドアを頻繁に開閉する必要が有る場合、ドアが閉鎖する都度、自動施錠錠を開錠操作する必要が生じ、ドアの開閉は非常に煩わしいものとなる。
【０００５】
そのような不都合の解消するため、上記のような自動施錠錠においては、普通、錠ケースのフロントプレートに形成された軸挿入孔内にラッチストップ軸を回転自在に設け、そのラッチストップ軸の回転操作により、ラッチヘッドを開錠位置において停止保持し得るようにしている。
【先行技術文献】
【特許文献】
【０００６】
【特許文献１】特開２００５−２９０７４４号公報
【発明の概要】
【発明が解決しようとする課題】
【０００７】
ところで、ラッチストップ軸を有する従来の自動施錠錠においては、ドアを開放し、ラッチヘッドおよびトリガーボルトを錠ケース内に押し込むことによってラッチストップ軸を回転操作し得るようにしているため、引越しや工事以外のドアの開放時に、家族以外の人による悪戯によってラッチストップ軸が回転操作されるおそれがある。
【０００８】
ここで、ラッチストップ軸が悪戯で回転操作されると、ドアの閉鎖状態で自動施錠錠は開錠状態に保持されているため、不正侵入される危険があり、安全性に問題が生じる。
【０００９】
この発明の課題は、ラッチストップ軸が家族以外の人によって回転操作されるのを防止することができるようにした安全性に優れた自動施錠錠を提供することである。
【課題を解決するための手段】
【００１０】
上記の課題を解決するため、この発明においては、フロントプレートを前側に有し、そのフロントプレートに、軸挿入孔、ボルト挿入孔およびトリガー挿入孔が上下に間隔をおいて形成された角形の錠ケースと、前記ボルト挿入孔に対して出没自在に設けられ、ラッチばねにより突出方向に向けて付勢されたラッチボルトと、前記ラッチボルトの背面に先端が対向するロック位置と前記背面から先端が退避するロック解除位置との間で揺動自在とされ、ばねによりロック位置に向けて付勢されたロック解除レバーと、前記トリガー挿入孔にスライド自在に挿入され、ばねにより外方に向けて付勢され、外方への移動によりロック解除レバーをロック解除方向に揺動させてロック解除位置に保持するトリガーボルトと、前記錠ケースの屋外側の側板に取付けられたシリンダ錠の開錠操作により回動されるシリンダカムと、そのシリンダカムの開錠方向への回転により後退動し、スライドピースばねによりフロントプレートに向けて付勢されたスライドピースと、前記ケースの屋内側の側板により支持された開閉操作用の揺動可能な屋内側レバーハンドルと、その屋内側レバーハンドルの開錠方向への揺動により、または、前記スライドピースの後退動による押圧により後退動して、前記ロック解除レバーをロック解除位置に向けて揺動させ、その揺動後にラッチボルトを没入する方向に押圧移動させるロック解除ピースと、前記軸挿入孔内に挿入されて回転自在に支持されたラッチストップ軸と、そのラッチストップ軸に回り止めされたラッチストップカムとからなり、前記スライドピースのフロントプレート側の先端に上向きの係合片を設け、前記ラッチストップカムには、スライドピースの前進停止位置において前記係合片と左右で対向してラッチストップ軸を回り止めし、スライドピースの後退停止位置で係合片と位置ずれしてラッチストップ軸の回り止めを解除する回り止めレバー片を設け、その回り止めレバー片の端部に前記係合片と位置ずれする状態でのラッチストップカムの回転により、その係合片と前後で対向してスライドピースを後退位置で停止保持するストッパ片を設けた構成を採用したのである。
【００１１】
上記の構成からなる自動施錠錠において、シリンダ錠を開錠操作してシリンダカムを回転させると、スライドピースが後退し、そのスライドピースの押圧によりロック解除ピースが後退する。そのロック解除ピースの後退動によりロック解除レバーがロック解除方向に揺動し、その揺動後にラッチボルトが没入する。そのラッチボルトの没入によって、ドアを開放し得る状態となる。
【００１２】
そこで、ドアを開放し、そのドアの開放後、シリンダ錠を施錠方向に回転させて、操作キーを引き抜くと、ラッチばねの押圧によりラッチボルトが外方に向けて移動する。また、トリガーボルトはばねの押圧により外方に突出し、ロック解除レバーはロック解除状態に保持される。
【００１３】
スライドピースの停止保持の解除により、ラッチボルトが外方に向けて移動し、突出状態となる。このとき、ロック解除レバーはトリガーボルトによりロック解除位置に保持されているため、ラッチボルトは自由に出没し得る状態にある。
【００１４】
ドアを閉鎖すると、ドア枠の縦枠に対する接触により、ラッチボルトは後退して、錠ケース内に没入し、その縦枠に設けられたストライク孔にラッチボルトが対向すると、ラッチボルトは外方に向けて移動してストライク孔内に進入する。
【００１５】
また、トリガーボルトは、縦枠に対する接触により後退して、後退位置に保持される。トリガーボルトの後退動により、ロック解除レバーはロック位置に向けて揺動して、ラッチボルトの後退を阻止し、ドアは自動ロックされる状態となる。
【００１６】
ここで、ドアの開放状態において、シリンダ錠の開錠操作によりシリンダカムを開錠方向に回転すると、上記と同様にスライドピースおよびロック解除ピースが後退し、ラッチボルトは没入状態とされる。そのスライドピースを後退させた停止保持状態においては、そのスライドピースに設けられた係合片がラッチストップカムに設けられた回り止めレバー片の回り止めを解除する位置に臨むため、ラッチストップ軸は回転し得る状態にある。そこで、ラッチストップ軸をロック位置に向けて回転させると、ストッパ片が係合片と前後で対向し、スライドピースは後退位置で保持される。スライドピースが後退停止位置にあるとき、ラッチボルトは没入状態に保持されているため、ドアは施錠されることはない。このため、ドアを自由に開閉し得ることになる。
【発明の効果】
【００１７】
上記のように、この発明においては、シリンダ錠の開錠操作によりスライドピースを後退させないかぎり、ラッチボルトを後退位置で停止保持させる保持操作用のラッチストップ軸を回転操作させることができないため、シリンダ錠の操作キーを持つ家族以外の人によってラッチストップ軸が不正に回転操作されるのを防止することができ、安全性に優れた自動施錠錠を得ることができる。
【図面の簡単な説明】
【００１８】
【図１】この発明に係る自動施錠錠の使用状態を示す一部切欠正面図
【図２】図１の横断平面図
【図３】図１に示す自動施錠錠の左側面図
【図４】この発明に係る自動施錠錠の縦断正面図
【図５】図４のV−V線に沿った断面図
【図６】図４のVI−VI線に沿った断面図
【図７】図４のVII−VII線に沿った断面図
【図８】図４のVIII−VIII線に沿った断面図
【図９】自動施錠錠の分解斜視図
【図１０】シリンダ錠の操作によってラッチボルトを没入させた状態の縦断正面図
【図１１】ラッチストップ軸をロック位置に回転させた状態の縦断正面図
【図１２】ラッチストップカムのストッパ片と係合片の係合状態を示す縦断側面図
【発明を実施するための形態】
【００１９】
以下、この発明の実施の形態を図面に基づいて説明する。図１乃至図３は、ドア枠１の縦枠２にストライカ３を取付け、ドア枠１の開口を開閉するドア４の戸先側の端面にこの発明に係る自動施錠錠Ａを埋め込み固定した状態を示す。
【００２０】
図４および図６に示すように、ストライカ３は、ストライク孔５を有し、そのストライク孔５の開口部を覆うラッチガイドプレート６には、ストライク孔５と対向する位置に角孔７が形成されている。また、ラッチガイドプレート６の屋外側の側部には折曲げによって傾斜板部８が形成されている。
【００２１】
自動施錠錠Ａは、角形の錠ケース１０を有し、その錠ケース１０の前面には上下方向に長いフロントプレート１１が設けられ、そのフロントプレート１１の上下両端部がドア４の戸先側の端面にねじ止めによる手段で固定されている。
【００２２】
図１乃至図３に示すように、錠ケース１０の屋外側表面の上部には、施錠用のシリンダ錠１２が取付けられている。さらに、錠ケース１０の屋外側および屋内側のそれぞれ表面下部には座板１３が設けられ、各座板１３にレバーハンドル１１４、１５が支持されている。
【００２３】
ここで、屋外側のレバーハンドル１４は、座板１３に固定され、一方、屋内側のレバーハンドル１５は揺動自在の支持とされ、その屋内側のレバーハンドル１５の揺動中心に角芯１６が接続されている。
【００２４】
図４乃至図７に示すように、フロントプレート１１には、上部から下部に向けて、軸挿入孔１７、ボルト挿入孔１８およびトリガー挿入孔１９が上下に間隔をおいて形成されている。
【００２５】
ボルト挿入孔１８内にはラッチボルト２０が挿入されている。ラッチボルト２０の屋内側の側面先端部はテーパ面２１とされている。また、ラッチボルト２０の背面にはラッチガイド２２が固定されている。
【００２６】
ラッチガイド２２はコの字形をなし、対向一対の端板２２ａ、２２ｂのうち、一方の端板２２ａがラッチボルト２０に固定され、他方の端板２２ｂの両側縁に形成された突片２３が錠ケース１０の側板１０ａ、１０ｂに形成された横長孔２４内にスライド自在に嵌合されている。
【００２７】
ラッチボルト２０は、ボルト挿入孔１８に対する嵌合と上記横長孔２４に対する突片２３の嵌合により、ボルト挿入孔１８に対して出没自在とされ、上記ラッチガイド２２の後方に設けられたラッチばね２５により、ボルト挿入孔１８から突出する方向に向けて付勢されている。
【００２８】
ラッチガイド２２の対向一対の端板２２ａ、２２ｂ間にはラッチ軸２６が渡され、そのラッチ軸２６にロック解除ピース２７がスライド自在に支持されている。ロック解除ピース２７は、ラッチ軸２６に支持されたばね２８によりフロントプレート１１に向けて付勢され、上面の後端部には突片２９が設けられている。
【００２９】
図４、図７および図９に示すように、トリガー挿入孔１９内にはトリガーボルト３０が組込まれている。トリガーボルト３０の屋内側側面の先端部にはテーパ面３１が形成され、背面にはトリガーガイド３２が固定されている。
【００３０】
トリガーボルト３０は、トリガーガイド３２に設けられたガイド片３３と錠ケース１０の側板１０ａ、１０ｂに形成された横長孔３４の嵌合によって前後方向に向けてスライド自在の支持とされ、上記トリガーガイド３２の背部に設けられたばね３５により、外方に向けて付勢されている。
【００３１】
トリガーガイド３２の上部にはＬ形のピン支持片３６が設けられ、そのピン支持片３６の屈曲部に解除ピン３７が固定されている。また、ピン支持片３６の後端部は屋内側に向く解除片３８が設けられている。
【００３２】
図４および図９に示すように、ピン支持片３６の屋内側にはロック解除レバー４０が設けられている。ロック解除レバー４０は、ロック片部４０ａの後端部にＬ字状の解除片部４０ｂを設けた構成とされ、そのロック片部４０ａの後端部が錠ケース１０の対向一対の側板１０ａ、１０ｂに両端部が支持された支点ピン４１で支持されて、その支点ピン４１を中心にして揺動自在とされている。
【００３３】
ロック解除レバー４０は、支点ピン４１に支持されたばね４２によりロック片部４０ａの先端部がラッチボルト２０の背面に対向するロック位置に向けて付勢されており、そのロック位置においてラッチボルト２０の後退動を阻止するようになっている。
【００３４】
ロック片部４０ａの先端下部には、トリガーガイド３２の解除ピン３７と前後で対向する傾斜状の解除片４３が設けられ、その解除片４３はトリガーボルト３０が外方に向けて移動した時、解除ピン３７で押圧される。その押圧により、ロック解除レバー４０は、ロック片部４０ａの先端がラッチボルト２０の背面から退避するロック解除位置に向けて揺動するようになっている。
【００３５】
図４、図７および図９に示すように、屋内側レバーハンドル１５に接続された角芯１６にはハブリング５１が取付けられ、そのハブリング５１に、先端部がロック解除ピース２７の屋外側に臨む押圧レバー５２が設けられている。押圧レバー５２の先端部はロック解除ピース２７の後端部に設けられた受圧片５３と前後で対向している。このため、屋内側レバーハンドル１５を開錠方向に揺動させると、押圧レバー５２の先端部が受圧片５３を押圧する作用によりロック解除ピース２７が後退動する。また、後退動するロック解除ピース２７の受圧片５３がラッチガイド２２の他方の端板２２ｂを押圧する作用により、ラッチボルト２０が没入するようになっている。
【００３６】
ロック解除ピース２７の屋内側の側面後部に解除ピン５４が設けられている。この解除ピン５４は、ロック解除レバー４０の解除片部４０ｂの下面に設けられた傾斜カム面５５と上下で対向しており、ロック解除ピース２７が後退すると、解除ピン５４が傾斜カム面５５を押圧し、ロック解除レバー４０がロック解除位置に向けて揺動するようになっている。
【００３７】
ここで、ハブリング５１にはキックばね５６が設けられ、そのキックばね５６はハブリング５１を押圧解除方向に向けて付勢していると共に、屋内側レバーハンドル１５を施錠方向に向けて付勢している。
【００３８】
図４、図５および図９に示すように、錠ケース１０内の上部には、シリンダ錠１２と同軸上にシリンダカム６０が設けられている。シリンダカム６０は回転自在の支持とされ、上記シリンダ錠１２の開錠操作により回転されるようになっている。
【００３９】
シリンダカム６０の外周にはピニオン６１が設けられ、そのピニオン６１に板状ラックピース６２の上辺部に形成されたラック歯６３が噛合している。ラックピース６２は前後方向に向けて移動自在に支持され、上記シリンダカム６０の回転により前後動し、ばね６４により前進動する方向に向けて付勢されている。
【００４０】
ラックピース６２を移動自在に支持するため、ここでは、錠ケース１０の屋外側の側板１０ａの内面にガイドピン６５を突設し、ラックピース６２には、そのガイドピン６５が挿入される横長孔６６を形成している。また、ガイドピン６５の先端部に細長いラックガイド６７の一端部を支持し、そのラックガイド６７の他端部を錠ケース１０の屋外側の側板１０ａの内面に固定したガイドピース６８の先端の折曲げ片６８ａで支持し、そのラックガイド６７でラックピース６２の先端の折曲げ片６２ａをスライド自在に支持している。
【００４１】
ここで、ラックピース６２を前進動する方向に付勢するばね６４はラックガイド６７により支持されている。
【００４２】
図４に示すように、ラックピース６２の下側には板状のスライドピース７０が設けられている。スライドピース７０は、図９に示すように、その屋外側の側面に突設された一対のガイドピン７１をガイドピース６８に形成された横長孔７２内に挿入することによって前後方向に移動自在の支持とされ、その後端に設けられた折曲げ片７３はラックピース６２の後端と前後で対向している。
【００４３】
このため、ラックピース６２が後退動すると、そのラックピース６２は折曲げ片７３を押圧することになり、その押圧により、スライドピース７０が後退動するようになっている。
【００４４】
折曲げ片７３の背部には、スライドピースばね７４が設けられ、そのスライドピースばね７３はスライドピース７０をフロントプレート１１に向けて付勢している。
【００４５】
図４および図９に示すように、スライドピース７０の先端部には上方に向く係合片７５が形成され、その係合片７５の上端に屋内側に向く折曲げ片７６が設けられている。また、スライドピース７０の屋内側の側面にはラッチホールド軸７７が突設され、さらに、下面の長さ方向のほぼ中央部には押圧片７８が設けられている。
【００４６】
押圧片７８はロック解除ピース２７の突片２９と前後で対向し、スライドピース７０が後退動すると、押圧片７８が突片２９を押圧し、その押圧により、ロック解除ピース２７が後退動するようになっている。
【００４７】
ラッチホールド軸７７の下方にはホールドピース８０が設けられている。ホールドピース８０はレバー状をなし、その一端部は錠ケース１０の屋外側の側板１０ａの内面に突設された支点ピン８１に支持されて、その支点ピン８１を中心に揺動自在とされている。
【００４８】
支点ピン８１にはばね８２が支持され、そのばね８２によりホールドピース８０はラッチホールド軸７７に向けて付勢されており、上記スライドピース７０が後退動して、ラッチホールド軸７７がホールドピース８０の後端を通過すると、ホールドピース８０が上方のロック位置に向けて揺動して、後端面がラッチホールド軸７７と前後で対向し、上記後端面に対するラッチホールド軸７７の当接により、スライドピース７０は後退位置で保持されるようになっている。
【００４９】
支点ピン８１にはホールド解除レバー９０が揺動自在に支持されている。ホールド解除レバー９０は、揺動中心部から下向きに延びる縦向きレバー部９１と後方に延びる横向きレバー部９２とを有し、縦向きレバー部９１の下端部はトリガーガイド３２の解除片３８と前後で対向し、トリガーボルト３０が外方に向けて移動すると、解除片３８が縦向きレバー部９１を押圧して、ホールド解除レバー９０を解除方向（図４の時計方向）に向けて揺動させるようになっている。
【００５０】
横向きレバー部９２の端部はホールドピース８０の屋外側の側面に形成された突片８３と上下で対向し、ホールド解除レバー９０が解除方向に揺動すると、横向きレバー部９２が突片８３を押し下げて、ホールドピース８０をロック解除方向（図４の時計方向）に揺動させるようになっている。
【００５１】
フロントプレート１１に形成された軸挿入孔１７内にはラッチストップ軸１００が挿入されている。ラッチストップ軸１００は、錠ケース１０の対向側板１０ａ、１０ｂに固定された軸ガイドピース１０１によって回転自在に支持され、軸挿入孔１７内に位置する頭部１００ａの係合溝１０２にドライバーを係合することによって回動操作し得るようになっている。
【００５２】
ラッチストップ軸１００には、板状のラッチストップカム１０４が嵌合されて回り止めされている。ラッチストップカム１０４には、スライドピース７０の前進停止位置において係合片７５と左右で対向してラッチストップ軸１００を回り止めし、スライドピース７０の後退停止位置で係合片７５と位置ずれしてラッチストップ軸１００の回り止めを解除する回り止めレバー片１０５が設けられている。
【００５３】
また、回り止めレバー片１０５の端部に係合片７５と位置ずれする状態でのラッチストップカム１０４の回転により、その係合片７５と前後で対向してスライドピース７０を後退位置で停止保持するストッパ片１０６が設けられている。
【００５４】
実施の形態で示す自動施錠錠は上記の構造からなり、図４はドア４の閉鎖状態を示し、ラッチボルト２０はストライカ３のストライク孔５に係合して、ドア４を閉鎖状態に保持している。
【００５５】
また、トリガーボルト３０はラッチガイドプレート６の表面に対する接触により押し込められた状態にあり、ロック解除レバー４０のロック片部４０ａの先端はラッチボルト２０の背面と対向して、ラッチボルト２０を係合状態にロックしている。
【００５６】
ドア４の閉鎖ロック状態において、屋内側ハンドル１５を開錠方向（図１の時計方向）に向けて揺動させると、角芯１６を中心にハブリング５１が図４の時計方向に回転し、押圧レバー５２がロック解除ピース２７の受圧片５３を押圧する。
【００５７】
このため、ロック解除ピース２７は後退動し、その後退動の初期において、解除ピン５４がロック解除レバー４０の傾斜カム面５５を押圧し、その押圧により、ロック解除レバー４０が支点ピン４１を中心にしてロック解除方向（図４の時計方向）に揺動して、ラッチボルト２０のロックを解除する。
【００５８】
ラッチボルト２０のロック解除状態からロック解除ピース２７がさらに後退すると、そのロック解除ピース２７はラッチガイド２２の他方の端板２２ｂに当接して、その端板２２ｂを押圧する。その押圧により、ラッチボルト２０がボルト挿入孔１８内に没入して、ストライカ３に対する係合が解除し、屋内側レバーハンドル１５を屋外方向に向けて押圧することにより、ドア４を開放させることができる。
【００５９】
ここで、ドア４を開放させると、ばね３５の弾性によりトリガーボルト３０が外方に移動する。このとき、解除ピン３７が解除片４３と上下で対向するため、ロック解除レバー４０はロック解除状態に保持される。
【００６０】
また、ドア４の開放後に屋内側レバーハンドル１５の保持を解除すると、キックばね５６の弾性により、ハブリング５１は押圧を解除する方向に揺動し、屋内側レバーハンドル１５は施錠位置に戻る。
【００６１】
また、ラッチボルト２０は外方に向けて移動する。このとき、ロック解除レバー４０はロック解除状態に保持されているため、ラッチボルト２０は出没自在の状態にある。
【００６２】
ドア４の開放後、そのドア４を閉鎖すると、ラッチガイドプレート６に対する接触により、ラッチボルト２０は後退して、ボルト挿入孔１８内に没入し、そのラッチガイドプレート６に設けられた角孔７にラッチボルト２０が対向すると、ラッチボルト２０は外方に向けて移動してストライク孔５内に進入する。
【００６３】
また、トリガーボルト３０は、ラッチガイドプレート６に対する接触により後退して、錠ケース１０内に没入する状態に保持される。トリガーボルト３０の後退動により、ロック解除レバー４０はロック解除され、ばね４２の押圧によりロック解除レバー４０はロック位置に向けて揺動して、ラッチボルト２０の後退を阻止し、ドア４は自動ロックされる状態となる。
【００６４】
また、ドア４の閉鎖ロック状態において、シリンダ錠１２を開錠操作して、シリンダカム６０を開錠方向に回動させると、ラックピース６２が後退動し、そのラックピース６２はスライドピース７０の折曲げ片７３を押圧するため、スライドピース７０も後退動する。
【００６５】
スライドピース７０が後退すると、そのスライドピース７０に設けた押圧片７８がロック解除ピース２７の突片２９を押圧するため、ロック解除ピース２７も後退する。
【００６６】
ロック解除ピース２７が後退を開始する初期の段階において、解除ピン５４は前述と同様に、ロック解除レバー４０の傾斜カム面５５を押圧し、その押圧により、ロック解除レバー４０が支点ピン４１を中心にしてロック解除方向に揺動して、ラッチボルト２０のロックを解除する。
【００６７】
ラッチボルト２０のロック解除状態からロック解除ピース２７がさらに後退すると、そのロック解除ピース２７はラッチガイド２２の他方の端板２２ｂに当接して、その端板２２ｂを押圧する。その押圧により、ラッチボルト２０がボルト挿入孔１８内に没入して、ストライカ３に対する係合が解除し、屋内側レバーハンドル１５を屋外方向に向けて押圧することにより、ドア４を開放させることができる。
【００６８】
ラッチボルト２０がボルト挿入孔１８内に没入すると、ホールドピース８０が上方に揺動して、図１０に示すように、その後端がラッチホールド軸７７と前後で対向し、スライドピース７０は後退位置に保持される。このため、シリンダ錠１２を元の位置に戻しても、ラッチボルト２０は没入位置に保持され、ラックピース６２のみがばね６４の押圧により前進して元の待機位置に戻る。
【００６９】
上記のようにしてラッチボルト２０を没入位置に保持することにより、ドア４を開放させることができる。そして、ドア４を開放すると、トリガーボルト３０はばね３５の押圧により外方に突出し、そのトリガーボルト３０の移動により、解除ピン３７が解除片４３と上下で対向するため、ロック解除レバー４０はロック解除状態に保持される。
【００７０】
また、トリガーボルト３０の外方向への移動により、トリガーガイド３２の解除片３８がホールド解除レバー９０の縦向きレバー部９１の下端部を押圧する。その押圧により、ホールド解除レバー９０が解除方向（図１０の時計方向）に揺動し、横向きレバー部９２がホールドピース８０の突片８３を下向きに押圧する
ため、ホールドピース８０は下向きに揺動して、図１１に示すように、スライドピース７０の停止保持を解除する。
【００７１】
スライドピース７０の停止保持の解除により、ラッチボルト２０が外方に向けて移動し、突出状態となる。このとき、ロック解除レバー４０はロック解除位置に保持されているため、ラッチボルト２０は自由に出没し得る状態にある。
【００７２】
ドア４の開放後、そのドア４を閉鎖すると、ラッチガイドプレート６に対する接触により、ラッチボルト２０は後退して、ボルト挿入孔１８内に没入し、そのラッチガイドプレート６に設けられた角孔７にラッチボルト２０が対向すると、ラッチボルト２０は外方に向けて移動してストライク孔５内に進入する。
【００７３】
また、トリガーボルト３０は、ラッチガイドプレート６に対する接触により後退して、錠ケース１０内に没入する状態に保持される。トリガーボルト３０の後退動により、ロック解除レバー４０はロック解除され、ばね４２の押圧によりロック解除レバー４０はロック位置に向けて揺動して、ラッチボルト２０の後退を阻止し、ドア４は自動ロックされる状態となる。
【００７４】
ここで、スライドピース７０を後退させた停止保持状態においては、図１０に示すように、そのスライドピース７０に設けられた係合片７５がラッチストップカム１０４に設けられた回り止めレバー片１０５と位置がずれるため、ラッチストップ軸１００は回転し得る状態にある。
【００７５】
そこで、ラッチストップ軸１００をロック位置に向けて回転させると、図１１および図１２に示すように、ストッパ片１０６が係合片７５の先端に設けられた折曲げ片７６と前後で対向し、スライドピース７０は後退位置で保持される。スライドピース７０が後退停止位置にあるとき、ラッチボルト２０は没入状態に保持されているため、ドア４は施錠されることはない。このため、ドア４を自由に開閉し得ることになる。
【００７６】
このように、シリンダ錠１２の開錠操作によりスライドピース７０を後退させないかぎり、ラッチボルト２０を後退位置で停止保持させる保持操作用のラッチストップ軸１００を回転操作させることができないため、シリンダ錠１２の操作キーを持つ家族以外の人によってラッチストップ軸１００が不正に回転操作されるのを防止することができる。
【００７７】
実施の形態では、ホールドピース８０の後端に対するラッチホールド軸７７の当接によりスライドピース７０を後退位置で停止保持するようにしたが、ホールドピース８０およびラッチホールド軸７７を省略してもよい。この場合、ドア４の開放後、シリンダ錠１２から操作キーを引き抜くと、ラッチボルト２０が外方に突出し、また、スライドピース７０がフロントプレート１１に向けて移動し、係合片７５が回り止めレバー片１０５と対向してラッチストップ軸１００を回転させることができない。
【００７８】
その場合、シリンダ錠１２を開錠方向に回転し、スライドピース７０を後退させた状態において、ラッチストップ軸１００を回転させるようにする。
【００７９】
また、実施の形態では、ピニオン６１とラックピース６２に設けたラック歯６３とによってシリンダカム６０の開錠方向への回転運動をスライドピース７０の前後方向への直線運動に変換するようにしたが、運動変換機構はこれに限定されるものではない。例えば、クランク機構によりシリンダカム６０の回転運動をスライドピース７０の前後方向への直線運動に変換するようにしてもよい。
【符号の説明】
【００８０】
１０    錠ケース
１１    フロントプレート
１５    屋内側レバーハンドル
１７    軸挿入孔
１８    ボルト挿入孔
１９    トリガー挿入孔
２０    ラッチボルト
２５    ラッチばね
２７    ロック解除ピース
３０    トリガーボルト
３５    ばね
４０    ロック解除レバー
４２    ばね
６０    シリンダカム
７０    スライドピース
７４    スライドピースばね
７５    係合片
１００  ラッチストップ軸
１０４  ラッチストップカム
１０５  回り止めレバー片
【図１】
2010265717.tif 000003
【図２】
2010265717.tif 000004
【図３】
2010265717.tif 000005
【図４】
2010265717.tif 000006
【図５】
2010265717.tif 000007
【図６】
2010265717.tif 000008
【図７】
2010265717.tif 000009
【図８】
2010265717.tif 000010
【図９】
2010265717.tif 000011
【図１０】
2010265717.tif 000012
【図１１】
2010265717.tif 000013
【図１２】
2010265717.tif 000014